(57)【特許請求の範囲】
【請求項１】
大便器の洗浄水を貯留する洗浄水タンクを隠蔽するキャビネットまたはトイレ内の物品を収納する収納キャビネットにおいて、壁パネルを固定するために部屋隅裏にある柱に固定材を固定し、前記キャビネットを前記固定材に対し内側から固定したことを特徴とするトイレキャビネット。
【請求項２】
前記トイレキャビネットは、隅裏に前記固定材が入るスペースを有することを特徴とする請求項１記載のトイレキャビネット。
【請求項３】
前記固定材が、部屋隅裏にある、奥壁側の壁パネルを固定する柱と、横壁側の壁パネルを固定する柱とに固定されていることを特徴とする請求項１または２記載のトイレキャビネット。
【請求項４】
大便器の洗浄水を貯留する洗浄水タンクを隠蔽するキャビネットまたはトイレ内の物品を収納する収納キャビネットにおいて、壁パネルを固定するために部屋隅裏にある柱に固定材を固定し、前記キャビネットを前記固定材に固定しており、前記固定材はＬ型断面を有すると共に角を形成する２枚の壁パネルに対して斜めになっている受け部を有し、その受け部に前記キャビネットを固定していることを特徴とするトイレキャビネット。
【発明の詳細な説明】
【０００１】
【発明の属する技術分野】
本発明は、トイレ改修の施工に係り、特にその施工手間を減らすことができるようにしたトイレキャビネットに関する。
【０００２】
【従来の技術】
トイレ改修時にキャビネットを設ける場合、キャビネットの取付には壁裏に補強が必要であった。しかしトイレの壁には補強が入っていない場合が殆どであり、キャビネットを後づけすることは難しかった。どうしてもキャビネットを取付けたい場合は壁をはずして補強を入れなおし図１０、図１１のように壁裏の補強に対して固定する必要があった。
また住宅の部屋構造は一般的に図１２のようになっている。すなわち部屋の隅には柱１があり、その柱１には部屋側に石膏ボードなどの壁パネル２を固定するための柱３が固定されている。この柱３にキャビネット４を固定する方法もある。そのためには図１３のようにキャビネット４を柱３に固定するために寸法ａ内にビスを打たなければならないが、手締めでビスを真っ直ぐ打つには図１４におけるｂ寸法が、電動工具でビスを真っ直ぐ打つには図１５におけるｃ寸法が必要である。しかしながら、柱寸法や石膏ボードなどの壁の厚み、キャビネットの厚みを考慮するとａ寸法がｂ，ｃ寸法より小さいのは明らかでありこの方法であるとビスを真っ直ぐに打つことができなかった。
【０００３】
【発明が解決しようとする課題】
従来の技術では、トイレ改修時にキャビネットを新たに設ける場合、キャビネットを補強の入った壁に固定する必要があった。しかしトイレの壁には補強が入っていない場合が殆どであり、石膏ボードなどの壁を固定するための柱にキャビネットを固定する場合でも柱寸法や石膏ボードなどの壁の厚み、キャビネットの厚みを考慮するとビスを真っ直ぐに打つことができなかった。
【０００４】
どうしてもキャビネットを取付けたい場合は壁をはずして補強を入れなおす必要があった。特に、大便器の洗浄水を貯留する洗浄水タンクを隠蔽するキャビネットの取り付けでは、壁をはずして補強を入れ壁を再び取り付ける作業を通常工務店（大工）が行い、その補強を入れた壁にトイレキャビネットを取り付ける作業は水道工事店が行うという場合が多く、相番工事となる。狭いトイレの中で複数の業者が同時に作業を行うことは困難であり、手待ち時間が発生したり業者の作業時間帯を予め詳細に決めておく必要があるなど非常に手間であった。したがって、トイレ改修には長時間を要し、改修を依頼した人が長い時間トイレを使用できないという問題があった。
【０００５】
本発明は上記の課題を解決するためになされたものであるが、その目的は補強のない壁にキャビネットを固定する方法と相番工事による改修工事の手待ち時間の軽減、それらによる施工費の軽減を可能としたトイレキャビネットを提供することである。
【０００６】
【課題を解決するための手段】
上記目的を達成するために請求項１は、大便器の洗浄水を貯留する洗浄水タンクを隠蔽するキャビネットまたはトイレ内の物品を収納する収納キャビネットにおいて、壁パネルを固定するために部屋隅裏にある柱に固定材を固定し、前記キャビネットを前記固定材に対し内側から固定することによりキャビネットを補強のない壁へ固定することが出来るようになった。
【０００７】
上記目的を達成するために請求項２は、大便器の洗浄水を貯留する洗浄水タンクを隠蔽するキャビネットまたはトイレ内の物品を収納する収納キャビネットを、壁パネルを固定するために部屋隅裏にある柱に別体の固定材を介して固定することによりキャビネットを補強のない壁へ固定することが出来るようになり、しかもキャビネットの隅裏に固定材が入るスペースを有しているので奥の壁との間に隙間なくキャビネットを設置することが出来るようになった。
【０００８】
上記目的を達成するために請求項３は、大便器の洗浄水を貯留する洗浄水タンクを隠蔽するキャビネットまたはトイレ内の物品を収納する収納キャビネットにおいて、部屋隅裏にある奥壁側の壁パネルを固定する柱と、横壁側の壁パネルを固定する柱とに固定材を固定し、前記キャビネットを前記固定材に対し内側から固定することにより強固にキャビネットを補強のない壁へ固定することが出来るようになった。
【０００９】
上記目的を達成するために請求項４は、大便器の洗浄水を貯留する洗浄水タンクを隠蔽するキャビネットまたはトイレ内の物品を収納する収納キャビネットにおいて、壁パネルを固定するために部屋隅裏にある柱に固定材を固定し、前記キャビネットを前記固定材に固定し、前記固定材はＬ型断面を有すると共に角を形成する２枚の壁パネルに対して斜めになっている受け部を有し、その受け部に前記キャビネットを固定することによってキャビネットの固定を容易にすることができ、また、固定材自体を小さくすることかできるようになった。
【００１０】
【発明の実施の形態】
この発明の請求項１の実施例を第１図〜第５図を参照しながら説明する。第１図のようにトイレ部屋内において隅にはかならず柱１があり、その柱に石膏ボードなどの壁パネル２を取付ける柱３がついている場合が多い。
【００１１】
図２のような大便器の洗浄水を貯留する洗浄水タンクを隠蔽するキャビネット４を固定するには、図３のように、まず固定部材５を壁パネル固定用の柱３に対し固定する。更にキャビネット４を、固定部材５に対し内側から固定することによりキャビネット４を補強のない壁へ固定することが出来る。
【００１２】
また固定部材５の幅を壁パネル固定用の柱３より大きくすることにより図１４、図１５のように手締めもしくは工具で固定する際もビスを真っ直ぐに打てるようになる。また将来的にこのキャビネット４が必要でなくなったときでも壁に開けたビス穴が部屋の隅にしか出ないので、あまり目立たずその部分を見切りなどで隠すのは容易である。
【００１３】
さらに図４のように固定材５の厚みを数種類持ち、または図５のように一定の厚さの固定材を数枚重ねて使用することにより建築側の精度が出ていないときでも不陸の調整を行うことが出来る。
【００１４】
ところで図３ではキャビネット４をビスで固定するようになっているが、固定方法はビス等の累着に限定されるものではなく、固定材に取付金具等を付けてキャビネット４を引掛ける方法や磁石で固定する方法等、取り外しが可能な方法の内１つまたは２つ以上を組み合わせてもよい。（図示せず）
【００１５】
この発明の請求項２の実施例を第６図を参照しながら説明する。図６では、図３に加え、キャビネット４の隅裏に固定部材５が入るスペース６を有することによりキャビネットを奥側の壁に隙間なく設置することが出来る。
【００１６】
この発明の請求項３の実施例を第７図を参照しながら説明する。第７図では図６に加え、固定材５をＬ字型の断面にして壁パネル固定用の柱３に対し奥壁側、横壁側両方に固定する。こうすることにより固定材５を更に強固に壁につけることが出来る。この固定材にキャビネット４を固定することにより重量の重たいものを格納することも可能となる。さらに、キャビネットを床から浮かせた図８のような形態にもできる。
【００１７】
この発明の請求項４の実施例を第９図を参照しながら説明する。第９図では図７に加え、断面形状がＬ字型になっている固定材５の折れ曲がり部に角を形成する２枚の壁に対して略４５度の角度を有する受け部７が設けてある。更にキャビネット４を、固定部材５に対し内側から固定部材５の受け部７に対して固定することによりキャビネット４を補強のない壁へ強固に固定することが出来る。また図７に比べ固定材を小さくすることができる。更にビスを斜めに打つのでビスを打つとき工具が入りやすくなり非常に作業がし易くなる。
【００１８】
【発明の効果】
本発明は上記構成により次の効果を発揮する。請求項１では、大便器の洗浄水を貯留する洗浄水タンクを隠蔽するキャビネットまたはトイレ内の物品を収納する収納キャビネットにおいて、壁パネルを固定するために部屋隅裏にある柱に固定材を固定し、前記キャビネットを前記固定材に対し内側からすることにより、キャビネットを補強のない壁へ固定することが出来るようになった。
【００１９】
請求項２では、大便器の洗浄水を貯留する洗浄水タンクを隠蔽するキャビネットまたはトイレ内の物品を収納する収納キャビネットにおいて、前記キャビネットは、壁パネルを固定するために部屋隅裏にある柱に別体の固定材を介して固定されているので補強のない壁に固定することが出来るようになった。また、前記キャビネットは隅裏に前記固定材が入るスペースを有するのでキャビネットを奥の壁に隙間なく固定出来るようになった。
【００２０】
請求項３では、大便器の洗浄水を貯留する洗浄水タンクを隠蔽するキャビネットまたはトイレ内の物品を収納する収納キャビネットにおいて、部屋隅裏にある奥壁側の壁パネルを固定する柱と、横壁側の壁パネルを固定する柱とに固定材を固定し、前記キャビネットを前記固定材に対し内側から固定することにより強固にキャビネットを補強のない壁へ固定することが出来るようになった。
【００２１】
請求項４では、大便器の洗浄水を貯留する洗浄水タンクを隠蔽するキャビネットまたはトイレ内の物品を収納する収納キャビネットにおいて、壁パネルを固定するために部屋隅裏にある柱に固定材を固定し、前記キャビネットを前記固定材に固定し、前記固定材はＬ型断面を有すると共に角を形成する２枚の壁パネルに対して斜めになっている受け部を有し、その受け部に前記キャビネットを固定することにより強固にキャビネットを補強のない壁へ固定することが出来るようになり、キャビネットの固定を容易にすることができ、また、固定材自体を小さくすることかできるようになった。
【図面の簡単な説明】
【図１】請求項１の実施例を表す平面図
【図２】請求項１の実施例を表す斜視図
【図３】請求項１の実施例を表す平面図
【図４】請求項１の実施例を表す平面図
【図５】請求項１の実施例を表す平面図
【図６】請求項２の実施例を表す平面図
【図７】請求項３の実施例を表す平面図
【図８】請求項３の実施例を表す斜視図
【図９】請求項４の実施例を表す平面図
【図１０】従来例を表す平面図
【図１１】従来例を表す斜視図
【図１２】従来例を表す平面図
【図１３】従来例を表す平面図
【図１４】従来例を表す平面図
【図１５】従来例を表す平面図
【符号の説明】
１…柱、２…壁パネル、３…柱、４…キャビネット、５…固定部材、６…スペース、７…受け部
【図１】
0003767723.tif 000002
【図２】
0003767723.tif 000003
【図３】
0003767723.tif 000004
【図４】
0003767723.tif 000005
【図５】
0003767723.tif 000006
【図６】
0003767723.tif 000007
【図７】
0003767723.tif 000008
【図８】
0003767723.tif 000009
【図９】
0003767723.tif 000010
【図１０】
0003767723.tif 000011
【図１１】
0003767723.tif 000012
【図１２】
0003767723.tif 000013
【図１３】
0003767723.tif 000014
【図１４】
0003767723.tif 000015
【図１５】
0003767723.tif 000016